(57)【要約】      （修正有）【課題】電池を駆動源に使用した商品広告装置において、電池の消耗を少なくすることで、メンテナンス等のマンパワーを不要とし、商品陳列台や屋外等、電源が無い場所でも新商品の広告をすることができる商品広告装置を提供する。【解決手段】広告表示手段２、音声出力手段３、検知手段４、制御手段５、並びに、広告表示手段２、音声出力手段３、検知手段４及び制御手段５に電気を供給する電池６を少なくとも含む商品広告装置１において、制御手段５は、検知手段４の第１検知範囲に顧客が入ったことを検知した時には音声出力手段から音声広告を出力し、検知手段の第２検知範囲に顧客が入ったことを検知した時には広告表示手段２に画像広告を表示する。【選択図】図１
2016001291.tif 000002
【特許請求の範囲】
【請求項１】
広告表示手段、音声出力手段、検知手段、及び制御手段を少なくとも含む商品広告装置において、
前記制御手段は、前記検知手段の第１検知範囲に顧客が入ったことを検知した時には前記音声出力手段から音声広告を出力し、前記検知手段の第２検知範囲に顧客が入ったことを検知した時には前記広告表示手段に画像広告を表示するように制御し、
前記第２検知範囲は、前記第１検知範囲内に含まれ、且つ前記第１検知範囲より狭い範囲である、
ことを特徴とする商品広告装置。
【請求項２】
前記制御手段が、前記第２検知範囲に入った顧客が所定時間静止状態であることを検知した時に第２検知範囲に顧客が入ったと判断することを特徴とする請求項１に記載の商品広告装置。
【請求項３】
前記制御手段が、顧客が前記第２検知範囲から出て行ったことを検知した時、所定時間経過後に前記広告表示手段の画像広告の表示を停止するように制御することを特徴とする請求項１又は２に記載の商品広告装置。
【請求項４】
前記制御手段が、前記第２検知範囲に顧客が入ったことを検知した時には前記音声出力手段の音声広告を、画像広告用の音声に切り替えるように制御することを特徴とする請求項１〜３の何れか一項に記載の商品広告装置。
【請求項５】
前記検知手段が、前記第１検知範囲の顧客を検知するための第１検知手段、前記第２検知範囲の顧客を検知するための第２検知手段を含むことを特徴とする請求項１〜４の何れか一項に記載の商品広告装置。
【請求項６】
前記音声出力手段から出力する音声広告、及び前記広告表示手段に表示する画像広告を少なくとも記憶する記憶手段、及び／又は前記音声出力手段から出力する音声広告、及び前記広告表示手段に表示する画像広告を少なくとも記憶する記憶媒体に接続する接続ポートを含むことを特徴とする請求項１〜５の何れか一項に記載の商品広告装置。
【請求項７】
前記広告表示手段、前記音声出力手段、前記検知手段及び前記制御手段に電気を供給する電池を含むことを特徴とする１〜６の何れか一項に記載の商品広告装置。
【請求項８】
前記電池が、充電式の電池であることを特徴とする請求項７に記載の商品広告装置。
【請求項９】
商品を陳列する陳列台に取り付ける取付手段を含むことを特徴とする請求項１〜８の何れか一項に記載の商品広告装置。
【請求項１０】
音声出力手段、検知手段、制御手段、及び電源コードの端子を差し込むことができる接続口を少なくとも含み、
前記制御手段は、前記検知手段の第１検知範囲に顧客が入ったことを検知した時には前記音声出力手段から音声広告を出力し、前記検知手段の第２検知範囲に顧客が入ったことを検知した時には接続口を介して商品広告装置に電気を供給できるように制御し、
前記第２検知範囲は、前記第１検知範囲内に含まれ、且つ前記第１検知範囲より狭い範囲である、
ことを特徴とする商品広告装置の駆動ユニット。
【請求項１１】
前記制御手段が、前記第２検知範囲に入った顧客が所定時間静止状態であることを検知した時に第２検知範囲に顧客が入ったと判断することを特徴とする請求項１０に記載の駆動ユニット。
【請求項１２】
前記制御手段が、顧客が前記第２検知範囲から出て行ったことを検知した時、所定時間経過後に商品広告装置への電気の供給を停止するように制御することを特徴とする請求項１０又は１１に記載の駆動ユニット。
【請求項１３】
前記検知手段が、前記第１検知範囲の顧客を検知するための第１検知手段、前記第２検知範囲の顧客を検知するための第２検知手段を含むことを特徴とする請求項１０〜１２の何れか一項に記載の駆動ユニット。
【請求項１４】
前記音声出力手段から出力する音声広告を少なくとも記憶する記憶手段、及び／又は前記音声出力手段から出力する音声広告を少なくとも記憶する記憶媒体に接続する接続ポートを含むことを特徴とする請求項１０〜１３の何れか一項に記載の駆動ユニット。
【請求項１５】
前記音声出力手段、前記検知手段及び前記制御手段に電気を供給する電池を含むことを特徴とする請求項１０〜１４の何れか一項に記載の駆動ユニット。
【請求項１６】
前記電池が、充電式の電池であることを特徴とする請求項１５に記載の駆動ユニット。
【発明の詳細な説明】
【技術分野】
【０００１】
本発明は、商品広告装置及び商品広告装置の駆動ユニットに関し、特に、外部電源及び充電等のメンテナンスが不要な商品広告装置、並びに既存の商品広告装置を駆動することができる商品広告装置の駆動ユニットに関するものである。
【背景技術】
【０００２】
新しい商品を開発し、消費者に新商品の特徴点等の説明を行いながら新商品の販売を行う際には、（１）店舗等において、店員が直接消費者に新商品を見せながら、新商品の特徴点等の説明を行う、又は（２）商品広告装置に新商品を載せ、当該新商品の広告を液晶ディスプレイ等の広告表示手段に表示を行っている（特許文献１参照）。特に、近年はコスト削減のため、無人で陳列した新商品の広告をすることができる（２）の商品広告装置の需要が高まってきている。
【０００３】
無人の商品広告装置としては、例えば、消費者の接近を認識する検知センサーの認識に連動して広告表示手段の起動若しくは映像の切り換えを行う陳列什器（特許文献２参照）、検知センサーの検知情報に基づいて消費者に提供する総合広告情報を適宜変更できる情報変更手段を備えた広告提供装置（特許文献３参照）等が知られている。
【０００４】
また、近年は各種装置において省エネが求められており、人感センサーで顧客を検知しない場合は、広告を表示せず待機状態にすることも知られている（特許文献３参照）。また、広告提供装置の電源として、電池を用いることができることも知られている（特許文献３参照）。
【０００５】
ところで、商品広告装置を実際に使用する際には電源の確保が大きな問題となる。例えば、フロアーの一角を店舗から借りて商品広告装置を使用する場合は、床下又は天井から電源を引くことができる。しかしながら、商品によっては、商品陳列台の小さなスペースに新商品を展示し、小型の商品広告装置を商品陳列台に取り付ける場合があるが、その場合、配線上の問題から商品広告装置へ床下又は天井から電源を供給することは困難な場合がある。また、床下又は天井からの電源を確保できたとしても、商品陳列台まで配線する必要があり、手間がかかるとともに、外観上の問題も発生する。
【０００６】
上記問題を解決するために、充電式電池で商品広告装置を駆動できるようにすることも考えられる。しかしながら、画像広告の表示サイズにもよるが、画像、特に動画を流すと電池の消耗は激しくなる。したがって、人感センサー等で顧客を検知した時のみ画像広告を流すようにしても、一定間隔毎に充電が必要となるが、顧客が帰った後、店舗で充電等を行うにはマンパワーが必要となるという問題がある。また、顧客によっては画像広告を流しても興味を示さない者もあり、電池を無駄に消耗してしまうという問題がある。
【０００７】
更に、新商品をコンビニ等の商品陳列台に陳列し、商品広告装置を用いて広告する場合、新商品の広告期間は限定的であるが、一時的に大量の商品広告装置が必要となる。しかしながら、従来の商品広告装置は、上記の電源等の問題に加え、各種機能が付属していることから商品広告装置自体の価格が高いため、短期間の商品広告のために高額な装置を購入し難く、その結果、新商品の広告機会を喪失してしまうという問題がある。
【０００８】
ところで、上記特許文献２及び３に記載されているように、センサーを用いた商品広告装置は公知であるが、市販されている大多数の商品広告装置は、電源としてコンセントを利用し、電気が供給されると画像広告及び画像広告用の音声を流し続けるものである。したがって、従来の商品広告装置の場合、最初に購入した時には店舗等のコンセントを利用して商品の広告ができたとしても、次の商品の広告に使用する場合にコンセントを電源として利用できず、購入した商品広告装置を再利用できない場合が多いという問題がある。
【先行技術文献】
【特許文献】
【０００９】
【特許文献１】特開２０１２−２０８１３９号公報
【特許文献２】特開平１１−０７６０１６号公報
【特許文献３】特開２００１−１３４２２５号公報
【発明の概要】
【発明が解決しようとする課題】
【００１０】
本発明は、上記従来の問題を解決するためになされた発明であり、鋭意研究を行ったところ、商品広告装置において、（１）先ず、第１検知範囲に顧客が入ったことを検知した時には音声出力手段から音声広告のみを出力して顧客の興味を引き、（２）興味を持った顧客が商品陳列台に近付いて、前記第１検知範囲内に含まれ、且つ前記第１検知範囲より狭い範囲である第２検知範囲に入った時のみ、広告表示手段に画像広告を表示する制御手段を設けることで、新商品に興味を示した顧客のみに電池の消耗の激しい画像広告を表示するので電池の消耗を少なくすることができ、（３）その結果、新商品の広告等の一定期間内であれば商品表示装置をメンテナンスフリーで使用できること、を新たに見出した。
【００１１】
また、本発明は、（１）第１検知範囲に顧客が入ったことを検知した時には音声出力手段から音声広告のみを出力して顧客の興味を引き、（２）興味を持った顧客が商品陳列台に近付いて、前記第１検知範囲内に含まれ、且つ前記第１検知範囲より狭い範囲である第２検知範囲に入った時に既存の商品広告装置に電気を供給する制御手段を設けた駆動ユニットを提供することで、既存の商品広告装置を電源が無い場所でも使用できること、を新たに見出した。
【００１２】
すなわち、本発明の目的は、顧客の商品への興味に応じて、音声広告、画像広告を切り替えることで、電池の消耗を少なくした商品広告装置、及び既存の商品広告装置を本発明の商品広告装置と同様に使用することができる商品広告装置の駆動ユニットを提供することである。
【課題を解決するための手段】
【００１３】
本発明は、以下に示す、商品広告装置及び商品広告装置の駆動ユニットに関する。
【００１４】
（１）広告表示手段、音声出力手段、検知手段、及び制御手段を少なくとも含む商品広告装置において、
前記制御手段は、前記検知手段の第１検知範囲に顧客が入ったことを検知した時には前記音声出力手段から音声広告を出力し、前記検知手段の第２検知範囲に顧客が入ったことを検知した時には前記広告表示手段に画像広告を表示するように制御し、
前記第２検知範囲は、前記第１検知範囲内に含まれ、且つ前記第１検知範囲より狭い範囲である、
ことを特徴とする商品広告装置。
（２）前記制御手段が、前記第２検知範囲に入った顧客が所定時間静止状態であることを検知した時に第２検知範囲に顧客が入ったと判断することを特徴とする上記（１）に記載の商品広告装置。
（３）前記制御手段が、顧客が前記第２検知範囲から出て行ったことを検知した時、所定時間経過後に前記広告表示手段の画像広告の表示を停止するように制御することを特徴とする上記（１）又は（２）に記載の商品広告装置。
（４）前記制御手段が、前記第２検知範囲に顧客が入ったことを検知した時には前記音声出力手段の音声広告を、画像広告用の音声に切り替えるように制御することを特徴とする上記（１）〜（３）の何れか一に記載の商品広告装置。
（５）前記検知手段が、前記第１検知範囲の顧客を検知するための第１検知手段、前記第２検知範囲の顧客を検知するための第２検知手段を含むことを特徴とする上記（１）〜（４）の何れか一に記載の商品広告装置。
（６）前記音声出力手段から出力する音声広告、及び前記広告表示手段に表示する画像広告を少なくとも記憶する記憶手段、及び／又は前記音声出力手段から出力する音声広告、及び前記広告表示手段に表示する画像広告を少なくとも記憶する記憶媒体に接続する接続ポートを含むことを特徴とする上記（１）〜（５）の何れか一に記載の商品広告装置。
（７）前記広告表示手段、前記音声出力手段、前記検知手段及び前記制御手段に電気を供給する電池を含むことを特徴とする上記（１）〜（６）の何れか一に記載の商品広告装置。
（８）前記電池が、充電式の電池であることを特徴とする上記（７）に記載の商品広告装置。
（９）商品を陳列する陳列台に取り付ける取付手段を含むことを特徴とする上記（１）〜（８）の何れか一に記載の商品広告装置。
（１０）音声出力手段、検知手段、制御手段、及び電源コードの端子を差し込むことができる接続口を少なくとも含み、
前記制御手段は、前記検知手段の第１検知範囲に顧客が入ったことを検知した時には前記音声出力手段から音声広告を出力し、前記検知手段の第２検知範囲に顧客が入ったことを検知した時には接続口を介して商品広告装置に電気を供給できるように制御し、
前記第２検知範囲は、前記第１検知範囲内に含まれ、且つ前記第１検知範囲より狭い範囲である、
ことを特徴とする商品広告装置の駆動ユニット。
（１１）前記制御手段が、前記第２検知範囲に入った顧客が所定時間静止状態であることを検知した時に第２検知範囲に顧客が入ったと判断することを特徴とする上記（１０）に記載の駆動ユニット。
（１２）前記制御手段が、顧客が前記第２検知範囲から出て行ったことを検知した時、所定時間経過後に商品広告装置への電気の供給を停止するように制御することを特徴とする上記（１０）又は（１１）に記載の駆動ユニット。
（１３）前記検知手段が、前記第１検知範囲の顧客を検知するための第１検知手段、前記第２検知範囲の顧客を検知するための第２検知手段を含むことを特徴とする上記（１０）〜（１２）の何れか一に記載の駆動ユニット。
（１４）前記音声出力手段から出力する音声広告を少なくとも記憶する記憶手段、及び／又は前記音声出力手段から出力する音声広告を少なくとも記憶する記憶媒体に接続する接続ポートを含むことを特徴とする上記（１０）〜（１３）の何れか一に記載の駆動ユニット。
（１５）前記音声出力手段、前記検知手段及び前記制御手段に電気を供給する電池を含むことを特徴とする上記（１０）〜（１４）の何れか一に記載の駆動ユニット。
（１６）前記電池が、充電式の電池であることを特徴とする上記（１５）に記載の駆動ユニット。
【発明の効果】
【００１５】
本発明の商品広告装置は、電池を駆動源にしているので、商品陳列台や屋外等、電源が無い場所でも商品広告をすることができる。
また、本発明の商品広告装置は、第１検知範囲に顧客が入ったことを検知した時には音声出力手段から音声広告のみを出力して顧客の興味を引き、興味を持った顧客が商品陳列台に近付いて第２検知範囲に入った時のみに広告表示手段に画像広告を表示する制御手段を設けることで、電池の消耗を少なくできる。したがって、新商品の広告が短期間の場合、途中で充電をする必要が無いので電源やマンパワー等の問題が発生せず、商品広告装置の使用機会を増やすことができる。
本発明の商品広告装置は、短期間の商品広告をターゲットに構成部品を単純化することで、価格を大幅に下げることができる。また、一定期間使用した本発明の商品広告装置の電池を取り換え又は充電し、記憶手段に記憶する広告情報の書き換え及び検知範囲の再設定を一か所で集中的に行うことで、特定商品の短期間の広告に迅速に対応することができる。したがって、商品広告装置のレンタル業等、新たなビジネスモデルの構築に寄与することができる。
本発明の商品広告装置の駆動ユニットは、従来の商品広告装置と組み合わせて用いることで、電源が無い場所でも、本発明の商品広告装置と同様に使用することができる。
【図面の簡単な説明】
【００１６】
【図１】図１は、本発明の商品広告装置１の一例を示す概略図である。
【図２】図２は、本発明の商品広告装置１のハードウェア構成例を示す図である。
【図３】図３は、本発明の商品広告装置１の上面図で制御手段５の制御概要を説明する図である。
【図４】図４は、本発明の商品広告装置１を用いた商品広告手順の一例を示すフローチャートである。
【図５】図５は、本発明の商品広告装置の駆動ユニット１０の一例を示す概略図である。
【図６】図６は、本発明の駆動ユニット１０のハードウェア構成例を示す図である。
【図７】図７は、本発明の駆動ユニット１０を商品広告装置１００に接続した際の商品広告手順の一例を示すフローチャートである。
【発明を実施するための形態】
【００１７】
以下に、本発明の商品広告装置及び商品広告装置の駆動ユニットについて図面を参考にしながら詳しく説明する。なお、符号が同じものは同じ部品を意味する。
【００１８】
図１は、本発明の商品広告装置１の一例を示す概略図である。図１に示す商品広告装置１は、広告表示手段２、音声出力手段３、検知手段４、制御手段５、電池６を少なくとも含んでいる。また、必要に応じて、音声出力手段３から出力する音声広告及び前記広告表示手段２に表示する画像広告を記憶する記憶手段７、及び／又は、音声出力手段３から出力する音声広告及び前記広告表示手段２に表示する画像広告を記憶する記憶媒体を接続するための接続ポート８を含んでいてもよい。図１に示す例では、前記した音声出力手段３は、枠体９の表面に取り付けられているが、枠体９の内部に設けてもよい。
【００１９】
広告表示手段２は、画像広告を表示できるものであれば特に制限は無く、例えば、液晶ディスプレイ、有機ＥＬディスプレイ等、公知の画像表示デバイスを用いることができる。なお、広告表示手段２は、単に画像を表示するだけでなく、タッチ機能を有するようにしてもよい。例えば、後述する記憶手段７に、商品に興味を示した消費者に対するアンケート情報を記憶しておき、商品に興味を示した消費者が画面にタッチすることでアンケートに回答できるようにしてもよい。また、タッチ機能を後述する制御手段５と連動させ、タッチ操作により、広告表示手段２に表示する画像を変えてもよい。広告表示手段２に表示する画像は、静止画、動画の何れでもよい。
【００２０】
音声出力手段３は、広告用音声を出力できるものであれば特に制限は無く、例えば、スピーカー等の公知の音声を出力できる手段を用いればよい。また、必要に応じて、音声出力手段３から出力される音量を調整する公知の音量調整手段を設けてもよい。音量調整手段は、ダイヤル等の機械的な手段であってもよいし、タッチ機能を有する広告表示手段２を用いる場合は、画面上で音量を調整してもよい。
【００２１】
検知手段４は、顧客の接近を検知でき、距離を測定できるセンサーであればよく、赤外線センサー、超音波センサー等が挙げられる。また、検知手段４としては、例えば、ＣＭＯＳセンサー、ＣＣＤセンサー等の撮像素子を用いてもよく、撮像素子で得られた画像を比較・判断して動作の有無を撮像する動作検出手段（ｍｏｔｉｏｎ  ｄｅｔｅｃｔｉｏｎ  ｔｅｃｈｎｏｌｏｇｙ）と組み合わせて用いればよい。動作検出に用いられるソフトは、公知の動作検出ソフトを用いればよい。検知手段４は、１つであってもよいし、２以上であってもよく、後述する制御手段５と共同して、第１検知範囲、第２検知範囲を設定する。検知手段４を２つ以上用いる場合は、異なる検出手段４を組合せてもよい。
【００２２】
電池６は、広告表示手段２、音声出力手段３、検知手段４、制御手段５、また、記憶手段７及び／又は接続ポート８等の本発明を構成する要素に電気を供給するためのものである。電池６は、本発明の商品広告装置１の使用予定期間、広告表示手段２のサイズ、顧客が興味を示す予想頻度等を考慮して、容量及び／又は装置内に設置する個数を調整すればよい。また、電池６は充電式として、新商品の広告が終了した後に回収し、充電後に、次の広告に使用してもよい。なお、商品広告装置１を販売する際は電池６を抜いておいて、顧客サイドで電池６を取付けて商品広告装置１として使用してもよい。
【００２３】
記憶手段７は、商品の広告情報を記憶できるものであれば特に制限は無く、例えば、ＳＤカード、ＵＳＢメモリ、フラッシュメモリー、ＣＤ−ＲＯＭ、ハードディスク等の公知の記憶手段が挙げられる。記憶手段７は商品広告装置１に内蔵、及び／又は外付けにすればよい。外付けにする場合は、記憶手段７と接続するための公知の接続ポート８を設ければよい。
【００２４】
記憶手段７に記憶する商品に関する広告としては、音声のみからなる音声広告と、画像及び音声からなる画像広告が含まれる。なお、音声広告と画像広告の音声とは同じであってもよいし、異なっていてもよい。また、画像は、静止画であっても動画であってもよい。広告表示手段２をタッチ機能付きのディスプレイを用いる場合は、アンケート等を記憶してもよい。
【００２５】
枠体９は、上記の各構成要素を取り付け、及び／又は内臓することができれば特に制限は無く、プラスチック、紙、金属等、使用する場所に応じて適宜選択すればよい。
【００２６】
また、本発明の商品広告装置１は、例えば、陳列台等に取り付けるための図示しない取付手段を設けてもよい。取付手段としては、クリップ、磁石等、商品広告装置１の設置箇所に取り付けることができれば特に制限は無い。
【００２７】
図２は、本発明の商品広告装置１のハードウェア構成例を示す図である。図１における商品広告装置１は、広告表示手段２、音声出力手段３、検知手段４、システム全体を制御する制御手段５、記憶手段７を含んでおり、これらはシステムバスＢで相互に接続されている。なお、記憶手段７を外付けにする場合、又は、商品広告装置１に内蔵している記憶手段７に加え他の記憶手段７からの情報を読み込む場合は、記憶手段７の接続ポート８、更に必要に応じてＣＤ−ＲＯＭ等のドライブ手段を含んでいてもよい。また、システムバスＢには、電池６が接続し、電池６の電源により、各構成要素を駆動できるようになっている。検知手段４として、撮像素子を用いる場合は、記憶手段７に撮像素子の動作検出を行うソフト及び撮像素子が撮像した画像を保存してもよい。
【００２８】
図３は、本発明の商品広告装置１の上面図で制御手段５の制御概要を説明する図である。
本発明の検知手段４は、第１検知範囲４１、及び前記第1検知範囲４１内に含まれ、且つより狭い検知範囲である第２検知範囲４２、の異なる範囲を検知できるようになっている。例えば、検知手段４を一つのセンサーで構成する場合は、予めパソコン等を用いて第１検知範囲及び第２検知範囲を設定しておき、検知手段４が検知する顧客４３の位置情報（検知手段４からの距離及び角度）が予め設定したどの範囲に含まれるのか判定すればよい。また、検知手段４を２以上設ける場合には、例えば、第１検知手段を第１検知範囲４１の検知に用い、第２検知手段を第２検知範囲４２の検知に用いるように設定すればよい。第１検知範囲及び第２検知範囲は、商品の陳列台の間隔等を考慮して適宜調整すればよい。なお、本発明の趣旨を逸脱しない範囲であれば、検知範囲（検知手段）を３以上にしてもよい。例えば、図３の第１検知範囲の外側に更に検知範囲を設定し、当該検知範囲と第１検知範囲では、音声広告の内容を変えてもよい。
【００２９】
制御手段５は、顧客４３が第１検知範囲に入ったことを検知すると記憶手段７に記憶されている音声広告を読み出し音声出力手段３から音声広告を出力制御する。また、顧客４３が第１検知範囲から第２検知範囲に入ったことを検知すると記憶手段７に記憶されている画像広告を読み出し広告表示手段２に画像広告を表示するとともに、音声出力手段３から画像広告用の音声を出力する。なお、音声広告と画像広告用の音声が異なっている場合は、広告表示手段２への画像広告の表示とともに、音声広告の出力を中止して画像広告用の音声を音声出力手段３から出力する。音声広告と画像広告用の音声内容が同じ場合は、音声広告と画像広告とにタッグを付けて記憶手段７に記憶しておくことで、音声広告に対応する箇所の画像広告を広告表示手段２に表示してもよいし、音声広告をリセットして、画像広告と音声広告を最初から出力してもよい。そして、第２検知範囲４２から顧客４３が出て行ったことを検知した後は、所定時間経過に画像広告の出力を停止すればよい。なお、顧客４３が近くにいるのに画像広告を中止すると顧客４３が不愉快に感じる可能性がある。上記所定期間とは、顧客４３が第２検知範囲４２から出て行った後、不愉快に感じないと思われる時間を意味し、例えば、１秒〜１分程度の間で適宜設定すればよい。また、顧客４３が第１検知範囲４１から出た後に画像広告の出力を中止してもよい。
【００３０】
例えば、図３（１）に示すように顧客４３が移動した場合、制御手段５は、第１検知範囲４１に顧客が入ったことを検知すると音声出力手段３から音声広告を出力し、その後、顧客４３が第１検知範囲４１から出て行ったことを検知すると音声広告の出力を停止する。
【００３１】
また、図３（２）に示すように顧客４３が移動した場合、制御手段５は、第１検知範囲４１に顧客が入ったことを検知すると音声出力手段３から音声広告を出力する。次に、顧客４３が第２検知範囲４２に入ったことを検知すると広告表示手段２に画像広告を出力し、音声出力手段３に画像広告用の音声を出力する。そして、顧客４３が第２検知範囲４２から出て行ったことを検知すると、所定時間経過後、画像広告の出力を停止する。なお、所定時間経過後も、商品陳列台への商品の配置具合によっては、他の商品を見るために顧客４３が第１検知範囲内に留まっているケースも考えられる。その場合は、第２検知範囲から顧客４３が出て行ったことを検知した時に、画像広告の出力の停止と同時に音声広告の出力を停止してもよいし、画像広告の出力のみ停止し、音声広告の出力は継続してもよい。そして、顧客４３が第１検知範囲４１から出て行ったことを検知した時に音声広告の出力を停止してもよい。
【００３２】
図３（２）に示すように、顧客４３は、第２検知範囲４２に入っても、そのまま新商品に興味を示さず通過する場合がある。その場合は、画像広告を出力するので電池を無駄に消耗してしまう恐れがある。そのため、第２検知範囲４２を小さめに設定するほか、第２検知範囲４２については、単に顧客４３が第２検知範囲４２に入ったことを検知するのではなく、顧客４３が立ち止まる、つまり、静止状態にあることを検知した際に画像広告を出力するように制御してもよい。静止状態は、検知手段４を赤外線センサー、超音波センサー等の距離センサーを用いた場合は、顧客４３の位置が所定時間変わらない場合は静止状態と判断すればよい。また、検知手段４として画像素子を用いた場合は動作検出手段と組み合わせて用いることで、画像解析により静止状態を判断すればよい。例えば、図３（３）に示すように顧客４３が第２検知範囲４２に入ったことを検知した場合でも、直ぐには画像広告を出力せず、顧客４３が商品広告装置１の前で静止状態になったことを検知した後で画像広告を出力すればよい。
【００３３】
図４は、本発明の商品広告装置１を用いた商品広告手順の一例を示すフローチャートである。先ず、新商品を陳列台に陳列し、商品広告装置１を取り付けるとともに電源をオンにする（Ｓ０１）。次に、検知手段４は、第１検知範囲４１に顧客４３が入ったかどうかの検知を開始する（Ｓ０２）。次に、検知結果の判定を行い（Ｓ０３）、第１検知範囲４１に顧客がいない場合は（Ｎｏ）Ｓ０２に戻り引き続き検知を行う。第１検知範囲４１に顧客４３がいる場合は（Ｙｅｓ）は、音声出力手段３から音声広告を出力する（Ｓ０４）。音声広告を出力しながら、第２検知範囲４２に顧客４３が入ったか、又は静止状態であるのか検知する（Ｓ０５）。Ｎｏの場合は、第１検知範囲４１に顧客がまだいるのか否か検知を行い、Ｎｏの場合はＳ０２、Ｙｅｓの場合はＳ０４に戻る（Ｓ０６）。Ｓ０５でＹｅｓの場合は、広告表示手段２に画像広告を表示するとともに、音声出力手段３から画像広告用の音声を出力する（Ｓ０７）。次に、第２検知範囲４２に顧客が引き続きいるのか、又は静止しているのか否か検知を行い、Ｎｏの場合にはＳ０６に戻り、Ｙｅｓの場合には、Ｓ０７に戻る（Ｓ０８）。そして、新商品の広告が終了した時に、商品広告装置１の電源をオフにすることで終了する。
【００３４】
新商品の広告終了後は、商品広告装置１を撤去し、電池６を取り換える又は充電する。そして、記憶手段７を内蔵している場合は、記憶している広告情報を次の商品の広告情報に書き換える。更に、必要に応じて、検知手段４の検知範囲を再設定することで、次の新商品の広告に再使用することができる。
【００３５】
図５は、本発明の商品広告装置の駆動ユニット（以下、「駆動ユニット」と略記することがある。）１０の一例を示す概略図である。図５に示す駆動ユニット１０は、音声出力手段３、検知手段４、制御手段５１、電池６及び既存の商品広告装置１００の電源コード１２の端子を差し込むことができる接続口１１を少なくとも含んでいる。接続口１１の形状は、電源コード１２の端子を差し込むことができれば特に制限は無く、端子の形状に応じた形状とすればよい。また、必要に応じて、音声出力手段３から出力する音声広告を記憶する記憶手段７、及び／又は、音声出力手段３から出力する音声広告を記憶する記憶媒体を接続するための接続ポート８を含んでいてもよい。図５に示す例では、前記した音声出力手段３は、枠体９の表面に取り付けられているが、枠体９の内部に設けてもよい。また、駆動ユニット１０は、使用する際に電池６が入っていればよいので、駆動ユニット１０を販売する際は電池６を抜いておいて、顧客サイドで電池６を取付けて駆動ユニット１０として使用してもよい。また、駆動ユニット１０は、取付具を用いて商品陳列台に取り付けてもよいし、商品広告装置１００に取り付けて一体化してもよい。
【００３６】
図６は、本発明の駆動ユニット１０のハードウェア構成例を示す図である。図６における駆動ユニット１０は、音声出力手段３、検知手段４、システム全体を制御する制御手段５１、記憶手段７、及び既存の商品広告装置１００の電源コード１２の端子を差し込むことができる接続口１１を含んでおり、これらはシステムバスＢで相互に接続されている。なお、記憶手段７を外付けにする場合、又は、駆動ユニット１０に内蔵している記憶手段7に加え他の記憶手段７からの情報を読み込む場合は、記憶手段７の接続ポート８、更に必要に応じてＣＤ−ＲＯＭ等のドライブ手段を含んでいてもよい。また、システムバスＢには、電池６が接続し、電池６の電源により、各構成要素を駆動できるようになっている。検知手段４として、撮像素子を用いる場合は、記憶手段７に撮像素子の動作検出を行うソフト及び撮像素子が撮像した画像を保存してもよい。
【００３７】
制御手段５１と制御手段５は、顧客４３が第１検知範囲から第２検知範囲に入った及び出たことを検知した際の制御が異なっている。具体的には、制御手段５１は、顧客４３が第１検知範囲に入ったことを検知すると記憶手段７に記憶されている音声広告を読み出し駆動ユニット１０の音声出力手段３から音声広告を出力制御する。また、顧客４３が第１検知範囲から第２検知範囲に入ったことを検知すると、接続口１１を介して電池６の電気を既存の商品広告装置１００に供給するとともに、駆動ユニット１１の音声出力手段３からの音声広告を中止する。電気が供給された商品広告装置１００は、図示しない記憶手段に記憶されている画像広告を広告表示手段２に表示するとともに、音声出力手段３から画像広告用の音声を出力する。そして、第２検知範囲４２から顧客４３が出て行ったことを検知した後、所定時間経過に制御手段５１は商品広告装置１００への電気の供給を停止し、商品広告装置１００は画像広告及び画像広告用の音声の出力を停止する。所定時間とは、上記と同様の時間でよい。また、顧客４３が第１検知範囲４１から出た後に商品広告装置１００への電気の供給を停止してもよい。
【００３８】
例えば、図３（１）に示すように顧客４３が移動した場合、制御手段５１は、第１検知範囲４１に顧客が入ったことを検知すると駆動ユニット１０の音声出力手段３から音声広告を出力し、その後、顧客４３が第１検知範囲４１から出て行ったことを検知すると音声広告の出力を停止する。
【００３９】
また、図３（２）に示すように顧客４３が移動した場合、制御手段５１は、第１検知範囲４１に顧客が入ったことを検知すると駆動ユニット１０の音声出力手段３から音声広告を出力する。次に、顧客４３が第２検知範囲４２に入ったことを検知すると商品広告装置１００に電気を供給し、商品広告装置１００の記憶手段に記憶されている画像広告を広告表示手段２に出力し、音声出力手段３に画像広告用の音声を出力する。なお、商品広告装置１００が電源を入れると初期化して起動するタイプの場合、画像広告及び画像広告用の音声の出力に時間がかかる場合がある。その場合は、駆動ユニット１０の音声広告の出力を直ぐに停止するのではなく、所定時間経過後、音声広告の出力を停止することで、広告が途切れないようにしてもよい。また、商品広告装置１００が電源を入れるとすぐに起動又は停止した箇所から直ぐに再開するタイプの場合は、商品広告装置１００への電気の供給とともに、駆動ユニット１０の音声広告を停止すればよい。そして、顧客４３が第２検知範囲４２から出て行ったことを検知すると、所定時間経過後、商品広告装置１００への電気の供給を停止する。なお、所定時間経過後も、商品陳列台への商品の配置具合によっては、他の商品を見るために顧客４３が第１検知範囲内に留まっているケースも考えられる。その場合は、第２検知範囲から顧客４３が出て行ったことを検知した時に、商品広告装置１００への電気の供給の停止と同時に、駆動ユニット１０の音声出力手段３から音声広告を出力してもよい。そして、顧客４３が第１検知範囲４１から出て行ったことを検知した時に音声広告の出力を停止してもよい。
【００４０】
また、上記と同様に、顧客が静止状態にあることを検知した際に、商品広告装置１００に電気を供給してもよい。
【００４１】
図７は、本発明の駆動ユニット１０を商品広告装置１００に接続した際の商品広告手順の一例を示すフローチャートである。先ず、新商品を陳列台に陳列し、商品広告装置１００を取り付けるとともに、商品広告装置１００の電源コード１２の端子を、駆動ユニット１０の接続口１１に差し込む（Ｓ０１）。次に、検知手段４は、第１検知範囲４１に顧客４３が入ったかどうかの検知を開始する（Ｓ０２）。次に、検知結果の判定を行い（Ｓ０３）、第１検知範囲４１に顧客がいない場合は（Ｎｏ）Ｓ０２に戻り引き続き検知を行う。第１検知範囲４１に顧客４３がいる場合は（Ｙｅｓ）は、駆動ユニット１０の音声出力手段３から音声広告を出力する（Ｓ０４）。音声広告を出力しながら、第２検知範囲４２に顧客４３が入ったか、又は静止状態であるのか検知する（Ｓ０５）。Ｎｏの場合は、第１検知範囲４１に顧客がまだいるのか否か検知を行い、Ｎｏの場合はＳ０２、Ｙｅｓの場合はＳ０４に戻る（Ｓ０６）。Ｓ０５でＹｅｓの場合は、商品広告装置１００に駆動ユニット１０から電気を供給し、商品広告装置１００の広告表示手段２に画像広告を表示するとともに、音声出力手段３から画像広告用の音声を出力する（Ｓ０７）。次に、第２検知範囲４２に顧客が引き続きいるのか、又は静止しているのか否か検知を行い、Ｎｏの場合にはＳ０６に戻り、Ｙｅｓの場合には、Ｓ０７に戻る（Ｓ０８）。そして、新商品の広告が終了した時に、駆動ユニット１０から商品広告装置１００の電源コード１２を抜くことで終了する。
【００４２】
新商品の広告終了後は、駆動ユニット１０の電池６を取り換える又は充電する。そして、記憶手段７を内蔵している場合は、記憶している音声広告情報を次の商品の広告情報に書き換える。更に、必要に応じて、検知手段４の検知範囲を再設定する。そして、商品広告装置１００が記憶手段７を内蔵している場合は新商品の画像広告及び画像広告用の音声を書き換え、次の新商品の広告に再使用することができる。
【産業上の利用可能性】
【００４３】
本発明に係る商品広告装置１は、電池を駆動源としており、更に、先ず顧客に音声広告のみを流し、次に、商品に興味を持った顧客のみに画像広告を流すことで、電池の消耗を大幅に低減することができ、短期間の新商品広告の場合には、メンテナンスフリーにしている。また、本発明に係る駆動ユニット１０を既存の商品広告装置と接続することで、本発明の商品広告装置１と同様に制御することができる。したがって、コンビニ、スーパーマーケット等において、従来は、マンパワーと電源の問題で新商品の広告を諦めていた場合でも、本発明の商品広告装置を用いることで、新商品の広告が可能である。
【図１】
2016001291.tif 000003
【図２】
2016001291.tif 000004
【図３】
2016001291.tif 000005
【図４】
2016001291.tif 000006
【図５】
2016001291.tif 000007
【図６】
2016001291.tif 000008
【図７】
2016001291.tif 000009